(57)【特許請求の範囲】
【請求項１】
電線を保持するプラグハウジングを有するプラグコネクタと、
前記電線に対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記電線が前記レセプタクルコンタクトと導通する、電線対基板コネクタであって、
前記プラグコネクタを前記レセプタクルコネクタへ嵌合させる方向としての嵌合方向は、前記基板の前記コネクタ搭載面に対して平行であり、
前記プラグハウジングには、前記嵌合方向に延びる一対のロック片が形成されており、
各ロック片は、前記嵌合方向に延びるアーム部と、前記アーム部の前記嵌合方向の先端部に形成された爪部と、を有して構成されており、
前記プラグコネクタは、前記プラグコネクタの前記一対のロック片が前記レセプタクルコネクタを抱え込むことで前記レセプタクルコネクタに固定されるように構成されており、
前記レセプタクルコネクタは、前記レセプタクルハウジングを前記基板の前記コネクタ搭載面に固定させるための補助金具を有し、
前記レセプタクルハウジングの側壁は、前記補助金具を前記レセプタクルハウジングに取り付けるための、前記基板の前記コネクタ搭載面に対して直交する方向に延びる切れ目を有し、
前記補助金具は、
前記切れ目を埋める切れ目埋め部と、
前記レセプタクルハウジングの前記側壁内に保持されるハウジング被保持部と、
前記基板の前記コネクタ搭載面に固定される基板被固定部と、
前記ハウジング被保持部と前記基板被固定部とを連結する連結部と、
前記ハウジング被保持部の前記嵌合方向と反対の方向としての反嵌合方向に向かって凸となるように湾曲する第１折り返し部と、
を有し、
前記切れ目埋め部は、前記第１折り返し部を介して前記ハウジング被保持部に支持されている、
電線対基板コネクタ。
【請求項２】
請求項１に記載の電線対基板コネクタであって、
前記第１折り返し部は、前記レセプタクルハウジングの前記側壁よりも前記反嵌合方向側に突出している、
電線対基板コネクタ。
【請求項３】
請求項１又は２に記載の電線対基板コネクタであって、
前記補助金具は、前記第１折り返し部から前記切れ目を跨ぐように前記嵌合方向に延びる橋渡しガイド部を更に有する、
電線対基板コネクタ。
【請求項４】
請求項３に記載の電線対基板コネクタであって、
前記補助金具は、
前記橋渡しガイド部の前記嵌合方向側の端部から、前記嵌合方向に向かって凸となるように湾曲しながら延びる第２折り返し部と、
前記第２折り返し部から前記反嵌合方向に延びる引っ掛け部と、
を有し、
前記レセプタクルハウジングの前記側壁は、前記補助金具の前記引っ掛け部を収容する引っ掛け部挿入溝を有する、
電線対基板コネクタ。
【請求項５】
請求項３又は４に記載の電線対基板コネクタであって、
前記切れ目埋め部は、前記橋渡しガイド部から延びている、
電線対基板コネクタ。
【請求項６】
電線を保持するプラグハウジングを有するプラグコネクタと、
前記電線に対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記電線が前記レセプタクルコンタクトと導通する、電線対基板コネクタであって、
前記プラグコネクタを前記レセプタクルコネクタへ嵌合させる方向としての嵌合方向は、前記基板の前記コネクタ搭載面に対して平行であり、
前記プラグハウジングには、前記嵌合方向に延びる一対のロック片が形成されており、
各ロック片は、前記嵌合方向に延びるアーム部と、前記アーム部の前記嵌合方向の先端部に形成された爪部と、を有して構成されており、
前記プラグコネクタは、前記プラグコネクタの前記一対のロック片が前記レセプタクルコネクタを抱え込むことで前記レセプタクルコネクタに固定されるように構成されており、
前記レセプタクルコネクタは、前記レセプタクルハウジングを前記基板の前記コネクタ搭載面に固定させるための補助金具を有し、
前記レセプタクルハウジングの側壁は、前記補助金具を前記レセプタクルハウジングに取り付けるための、前記基板の前記コネクタ搭載面に対して直交する方向に延びる切れ目を有し、
前記補助金具は、
前記切れ目を跨ぐように延びる橋渡し部と、
前記レセプタクルハウジングの前記側壁内に保持されるハウジング被保持部と、
前記基板の前記コネクタ搭載面に固定される基板被固定部と、
前記ハウジング被保持部と前記基板被固定部とを連結する連結部と、
前記ハウジング被保持部の前記嵌合方向と反対の方向としての反嵌合方向に向かって凸となるように湾曲する第１折り返し部と、
を有し、
前記橋渡し部は、前記第１折り返し部を介して前記ハウジング被保持部に支持されている、
電線対基板コネクタ。
【請求項７】
電線を保持するプラグハウジングを有するプラグコネクタと、
前記電線に対応するレセプタクルコンタクトと、前記レセプタクルコンタクトを保持するレセプタクルハウジングと、を有し、基板のコネクタ搭載面に搭載されるレセプタクルコネクタと、
を備え、
前記プラグコネクタを前記レセプタクルコネクタへ嵌合させることで、前記電線が前記レセプタクルコンタクトと導通する、電線対基板コネクタであって、
前記プラグコネクタを前記レセプタクルコネクタへ嵌合させる方向としての嵌合方向は、前記基板の前記コネクタ搭載面に対して平行であり、
前記プラグハウジングには、前記嵌合方向に延びる一対のロック片が形成されており、
各ロック片は、前記嵌合方向に延びるアーム部と、前記アーム部の前記嵌合方向の先端部に形成された爪部と、を有して構成されており、
前記プラグコネクタは、前記プラグコネクタの前記一対のロック片が前記レセプタクルコネクタを抱え込むことで前記レセプタクルコネクタに固定されるように構成されており、
前記レセプタクルコネクタは、前記レセプタクルハウジングを前記基板の前記コネクタ搭載面に固定させるための補助金具を有し、
前記レセプタクルハウジングの側壁は、前記補助金具を前記レセプタクルハウジングに取り付けるための、前記基板の前記コネクタ搭載面に対して直交する方向に延びる切れ目を有し、
前記補助金具は、
前記切れ目を覆い隠す切れ目カバー部と、
前記レセプタクルハウジングの前記側壁内に保持されるハウジング被保持部と、
前記基板の前記コネクタ搭載面に固定される基板被固定部と、
前記ハウジング被保持部と前記基板被固定部とを連結する連結部と、
前記ハウジング被保持部の前記嵌合方向と反対の方向としての反嵌合方向に向かって凸となるように湾曲する第１折り返し部と、
を有し、
前記切れ目カバー部は、前記第１折り返し部を介して前記ハウジング被保持部に支持されている、
電線対基板コネクタ。
【発明の詳細な説明】
【技術分野】
【０００１】
本発明は、電線対基板コネクタに関する。
【背景技術】
【０００２】
この種の技術として、特許文献１は、フレキシブルケーブル５００の端部に形成された端子部５０１をフレキシブルケーブル用コネクタ５０２のケーブル挿入口５０３に挿入すると、ケーブル挿入口５０３の上側に併設された複数のコネクタピン５０４が端子部５０１に接続されるように構成されたフレキシブルケーブル接続構造を開示している。フレキシブルケーブル用コネクタ５０２の左右側面の締結溝５０５には、フレキシブルケーブル用コネクタ５０２をプリント基板に締結するための金属製のL字状ブラケット５０６が圧入されている。
【先行技術文献】
【特許文献】
【０００３】
【特許文献１】特開2010-267411号公報
【発明の概要】
【発明が解決しようとする課題】
【０００４】
ところで、本願発明の発明者は、ケーブル側のプラグコネクタが基板側のレセプタクルコネクタを左右から抱え込む形式の電気コネクタを開発している。この電気コネクタでは、先端に爪が形成されたアームをプラグコネクタに設けている。プラグコネクタをレセプタクルコネクタに嵌合させる際、爪がレセプタクルコネクタの左右側面に接触することでアームが撓み、爪はレセプタクルコネクタの左右側面上をスライドする。そして、爪がレセプタクルコネクタの左右側面を乗り越えると、アームの弾性復元力により爪がレセプタクルコネクタの背面側に弾性変位する。
【０００５】
しかしながら、特許文献１に開示のフレキシブルケーブル用コネクタ５０２を流用しようとすると、フレキシブルケーブル用コネクタ５０２の左右側面に形成された締結溝５０５の存在により、爪がフレキシブルケーブル用コネクタ５０２の左右側面を乗り越える前に、アームの弾性復元力により爪が締結溝５０５内へと弾性変位する。従って、作業者にとっては、アームの弾性復元力により爪が締結溝５０５内へと弾性変位した際に、爪がフレキシブルケーブル用コネクタ５０２の背面側へと弾性変位したものと誤解してしまう。そして、この誤解は、電気コネクタの不確実な嵌合を招く。
【０００６】
本願発明の目的は、電線対基板コネクタの不確実な嵌合を回避する技術を提供することにある。
【課題を解決するための手段】
【０００７】
電線を保持するプラグハウジングを有するプラグコネクタと、前記電線に対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記電線が前記レセプタクルコンタクトと導通する、電線対基板コネクタであって、前記プラグコネクタを前記レセプタクルコネクタへ嵌合させる方向としての嵌合方向は、前記基板の前記コネクタ搭載面に対して平行であり、前記プラグハウジングには、前記嵌合方向に延びる一対のロック片が形成されており、各ロック片は、前記嵌合方向に延びるアーム部と、前記アーム部の前記嵌合方向の先端部に形成された爪部と、を有して構成されており、前記プラグコネクタは、前記プラグコネクタの前記一対のロック片が前記レセプタクルコネクタを抱え込むことで前記レセプタクルコネクタに固定されるように構成されており、前記レセプタクルコネクタは、前記レセプタクルハウジングを前記基板の前記コネクタ搭載面に固定させるための補助金具を有し、前記レセプタクルハウジングの側壁は、前記補助金具を前記レセプタクルハウジングに取り付けるための、前記基板の前記コネクタ搭載面に対して直交する方向に延びる切れ目を有し、前記補助金具は、前記切れ目を埋める切れ目埋め部と、前記レセプタクルハウジングの前記側壁内に保持されるハウジング被保持部と、前記基板の前記コネクタ搭載面に固定される基板被固定部と、前記ハウジング被保持部と前記基板被固定部とを連結する連結部と、前記ハウジング被保持部の前記嵌合方向と反対の方向としての反嵌合方向に向かって凸となるように湾曲する第１折り返し部と、を有し、前記切れ目埋め部は、前記第１折り返し部を介して前記ハウジング被保持部に支持されている、電線対基板コネクタが提供される。
前記第１折り返し部は、前記レセプタクルハウジングの前記側壁よりも前記反嵌合方向側に突出している。
前記補助金具は、前記第１折り返し部から前記切れ目を跨ぐように前記嵌合方向に延びる橋渡しガイド部を更に有する。
前記補助金具は、前記橋渡しガイド部の前記嵌合方向側の端部から、前記嵌合方向に向かって凸となるように湾曲しながら延びる第２折り返し部と、前記第２折り返し部から前記反嵌合方向に延びる引っ掛け部と、を有し、前記レセプタクルハウジングの前記側壁は、前記補助金具の前記引っ掛け部を収容する引っ掛け部挿入溝を有する。
前記切れ目埋め部は、前記橋渡しガイド部から延びている。
電線を保持するプラグハウジングを有するプラグコネクタと、前記電線に対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記電線が前記レセプタクルコンタクトと導通する、電線対基板コネクタであって、前記プラグコネクタを前記レセプタクルコネクタへ嵌合させる方向としての嵌合方向は、前記基板の前記コネクタ搭載面に対して平行であり、前記プラグハウジングには、前記嵌合方向に延びる一対のロック片が形成されており、各ロック片は、前記嵌合方向に延びるアーム部と、前記アーム部の前記嵌合方向の先端部に形成された爪部と、を有して構成されており、前記プラグコネクタは、前記プラグコネクタの前記一対のロック片が前記レセプタクルコネクタを抱え込むことで前記レセプタクルコネクタに固定されるように構成されており、前記レセプタクルコネクタは、前記レセプタクルハウジングを前記基板の前記コネクタ搭載面に固定させるための補助金具を有し、前記レセプタクルハウジングの側壁は、前記補助金具を前記レセプタクルハウジングに取り付けるための、前記基板の前記コネクタ搭載面に対して直交する方向に延びる切れ目を有し、前記補助金具は、前記切れ目を跨ぐように延びる橋渡し部と、前記レセプタクルハウジングの前記側壁内に保持されるハウジング被保持部と、前記基板の前記コネクタ搭載面に固定される基板被固定部と、前記ハウジング被保持部と前記基板被固定部とを連結する連結部と、前記ハウジング被保持部の前記嵌合方向と反対の方向としての反嵌合方向に向かって凸となるように湾曲する第１折り返し部と、を有し、前記橋渡し部は、前記第１折り返し部を介して前記ハウジング被保持部に支持されている、電線対基板コネクタが提供される。
電線を保持するプラグハウジングを有するプラグコネクタと、前記電線に対応するレセプタクルコンタクトと、前記レセプタクルコンタクトを保持するレセプタクルハウジングと、を有し、基板のコネクタ搭載面に搭載されるレセプタクルコネクタと、を備え、前記プラグコネクタを前記レセプタクルコネクタへ嵌合させることで、前記電線が前記レセプタクルコンタクトと導通する、電線対基板コネクタであって、前記プラグコネクタを前記レセプタクルコネクタへ嵌合させる方向としての嵌合方向は、前記基板の前記コネクタ搭載面に対して平行であり、前記プラグハウジングには、前記嵌合方向に延びる一対のロック片が形成されており、各ロック片は、前記嵌合方向に延びるアーム部と、前記アーム部の前記嵌合方向の先端部に形成された爪部と、を有して構成されており、前記プラグコネクタは、前記プラグコネクタの前記一対のロック片が前記レセプタクルコネクタを抱え込むことで前記レセプタクルコネクタに固定されるように構成されており、前記レセプタクルコネクタは、前記レセプタクルハウジングを前記基板の前記コネクタ搭載面に固定させるための補助金具を有し、前記レセプタクルハウジングの側壁は、前記補助金具を前記レセプタクルハウジングに取り付けるための、前記基板の前記コネクタ搭載面に対して直交する方向に延びる切れ目を有し、前記補助金具は、前記切れ目を覆い隠す切れ目カバー部と、前記レセプタクルハウジングの前記側壁内に保持されるハウジング被保持部と、前記基板の前記コネクタ搭載面に固定される基板被固定部と、前記ハウジング被保持部と前記基板被固定部とを連結する連結部と、前記ハウジング被保持部の前記嵌合方向と反対の方向としての反嵌合方向に向かって凸となるように湾曲する第１折り返し部と、を有し、前記切れ目カバー部は、前記第１折り返し部を介して前記ハウジング被保持部に支持されている、電線対基板コネクタが提供される。
【発明の効果】
【０００８】
本願発明によれば、前記切れ目が埋められているので、各ロック片の前記爪部が前記嵌合方向にスムーズに進むことができるようになる。そして、各ロック片の前記爪部が前記嵌合方向に進むに際し特段の違和感がないので、前記プラグコネクタと前記レセプタクルコネクタとの不確実な嵌合が回避される。
【図面の簡単な説明】
【０００９】
【図１】図1は、基板に搭載されたレセプタクルコネクタに、電線が取り付けられたプラグコネクタを対向させた状態を示す斜視図である。（第１実施形態）
【図２】図2は、基板に搭載されたレセプタクルコネクタに対する、電線が取り付けられたプラグコネクタの嵌合の途中状態を示す斜視図である。（第１実施形態）
【図３】図3は、基板に搭載されたレセプタクルコネクタに対する、電線が取り付けられたプラグコネクタの嵌合の完了状態を示す斜視図である。（第１実施形態）
【図４】図4は、プラグコネクタの分解斜視図である。（第１実施形態）
【図５】図5は、レセプタクルコネクタの分解斜視図である。（第１実施形態）
【図６】図6は、レセプタクルハウジングの斜視図である。（第１実施形態）
【図７】図7は、レセプタクルハウジングの別の角度から見た斜視図である。（第１実施形態）
【図８】図8は、図６のA部拡大図である。（第１実施形態）
【図９】図9は、図８の一部切り欠き図である。（第１実施形態）
【図１０】図10は、図７のB部拡大図である。（第１実施形態）
【図１１】図11は、補助金具の斜視図である。（第１実施形態）
【図１２】図12は、補助金具の別の角度から見た斜視図である。（第１実施形態）
【図１３】図13は、補助金具の別の角度から見た斜視図である。（第１実施形態）
【図１４】図14は、レセプタクルコンタクトの斜視図である。（第１実施形態）
【図１５】図15は、レセプタクルコネクタの斜視図である。（第１実施形態）
【図１６】図16は、レセプタクルコネクタの別の角度から見た斜視図である。（第１実施形態）
【図１７】図17は、図１５のC部拡大図である。（第１実施形態）
【図１８】図18は、図１６のD部拡大図である。（第１実施形態）
【図１９】図19は、図３のE部拡大図である。（第１実施形態）
【図２０】図20は、レセプタクルコネクタの平面図である。（第２実施形態）
【図２１】図21は、図２０のF部拡大図である。（第２実施形態）
【図２２】図22は、レセプタクルハウジングの斜視図である。（第３実施形態）
【図２３】図23は、レセプタクルハウジングの別の角度から見た斜視図である。（第３実施形態）
【図２４】図24は、レセプタクルハウジングの別の角度から見た斜視図である。（第３実施形態）
【図２５】図25は、図２２のG部拡大図である。（第３実施形態）
【図２６】図26は、図２３のH部拡大図である。（第３実施形態）
【図２７】図27は、図２４のJ部拡大図である。（第３実施形態）
【図２８】図28は、補助金具の斜視図である。（第３実施形態）
【図２９】図29は、補助金具の平面図である。（第３実施形態）
【図３０】図30は、レセプタクルコネクタの斜視図である。（第３実施形態）
【図３１】図31は、図３０のK部拡大図である。（第３実施形態）
【図３２】図32は、レセプタクルハウジングの斜視図である。（第４実施形態）
【図３３】図33は、レセプタクルハウジングの別の角度から見た斜視図である。（第４実施形態）
【図３４】図34は、図３２のL部拡大図である。（第４実施形態）
【図３５】図35は、図３３のM部拡大図である。（第４実施形態）
【図３６】図36は、補助金具の斜視図である。（第４実施形態）
【図３７】図37は、補助金具の別の角度から見た斜視図である。（第４実施形態）
【図３８】図38は、レセプタクルコネクタの斜視図である。（第４実施形態）
【図３９】図39は、図３８のN部拡大図である。（第４実施形態）
【図４０】図40は、特許文献１の図１に相当する図である。
【発明を実施するための形態】
【００１０】
（第１実施形態）
以下、図１〜図１９を参照して、本願発明の第１実施形態を説明する。
【００１１】
図１〜図３には、電線対基板コネクタ１を用いて複数の電線２を基板３に接続している様子を示している。図１〜図３に示すように、電線対基板コネクタ１は、複数の電線２を保持するプラグコネクタ４と、基板３のコネクタ搭載面５に搭載されるレセプタクルコネクタ６と、を備えて構成されている。
【００１２】
図４に示すように、プラグコネクタ４は、複数のプラグコンタクト７と、プラグハウジング８と、を備えて構成されている。複数のプラグコンタクト７は、複数の電線２の端部に夫々取り付けられるものである。プラグハウジング８は、複数のプラグコンタクト７を保持するものである。従って、プラグハウジング８は、複数の電線２を保持している。
【００１３】
図５に示すように、レセプタクルコネクタ６は、複数のレセプタクルコンタクト９と、レセプタクルハウジング１０と、一対の補助金具１１と、を備えて構成されている。複数のレセプタクルコンタクト９は、複数の電線２に対応している。レセプタクルハウジング１０は、複数のレセプタクルコンタクト９を保持するものである。
【００１４】
図１〜図３に示すように、複数の電線２は、相互に束ねられていない単線又は撚り線である。これに代えて、複数の電線２は、フラットケーブルとして束ねられていてもよい。フラットケーブルとは、被覆された電線２を同一ピッチで複数本並べて相互に融着したものである。あるいは、複数の電線２は、フレキシブルフラットケーブルとして束ねられていてもよい。フレキシブルフラットケーブルとは、平板型の導体を複数本並べて被覆したリボン状の線材である。この他、複数の電線２は、フレキシブルプリント基板として束ねられていてもよい。フレキシブルプリント基板とは、柔軟性があり大きく変形させることが可能なプリント基板である。
【００１５】
基板３は、紙エポキシ基板やガラスエポキシ基板によって構成されている。基板３のコネクタ搭載面５には、例えば表面実装型LEDチップ１２が搭載されている。そして、表面実装型LEDチップ１２から放射されたLED光が遮られることのないよう、電線対基板コネクタ１には低背化が求められている。
【００１６】
そして、図１〜図３に示すように、プラグコネクタ４をレセプタクルコネクタ６へ嵌合させることで、各電線２がプラグコンタクト７を介してレセプタクルコンタクト９と導通するようになっている。
【００１７】
ここで、「コネクタ脱着方向」及び「基板直交方向」、「コネクタ幅方向」を定義する。コネクタ脱着方向は、図１〜図３に示すように、プラグコネクタ４をレセプタクルコネクタ６に嵌合させたり、プラグコネクタ４をレセプタクルコネクタ６から抜去したりする方向である。コネクタ脱着方向のうちプラグコネクタ４をレセプタクルコネクタ６に嵌合させる方向を嵌合方向とし、プラグコネクタ４をレセプタクルコネクタ６から抜去する方向を抜去方向（反嵌合方向）とする。嵌合方向は、抜去方向と反対の方向である。本実施形態において、コネクタ脱着方向は、基板３のコネクタ搭載面５に対して平行である。基板直交方向は、基板３のコネクタ搭載面５に対して直交する方向である。基板直交方向のうち基板３のコネクタ搭載面５に近づく方向を基板近接方向とし、基板３のコネクタ搭載面５から離れる方向を基板離間方向とする。基板直交方向は、コネクタ脱着方向に対して直交する関係にある。コネクタ幅方向は、コネクタ脱着方向及び基板直交方向に対して直交する方向である。コネクタ幅方向のうち電線対基板コネクタ１の中央に向かう方向をコネクタ幅中央方向とし、電線対基板コネクタ１の中央から離れる方向をコネクタ幅反中央方向とする。
【００１８】
（プラグコネクタ４）
図４に示すように、プラグコネクタ４は、前述の通り、複数のプラグコンタクト７と、プラグハウジング８と、を備えて構成されている。
【００１９】
プラグハウジング８は、プラグコンタクト収容部１５と、レセプタクルハウジング被挿入部１６と、一対のロック片１７と、一対のロック片連結部１８によって構成されている。
【００２０】
プラグコンタクト収容部１５には、複数のプラグコンタクト収容室１９が形成されている。各プラグコンタクト収容室１９は、各プラグコンタクト７が夫々圧入されるものである。複数のプラグコンタクト収容室１９は、コネクタ幅方向に一定のピッチで形成されている。
【００２１】
レセプタクルハウジング被挿入部１６は、プラグコンタクト収容部１５の嵌合方向の端部に接続し、嵌合方向に突出して形成されている。
【００２２】
一対のロック片１７は、プラグコンタクト収容部１５及びレセプタクルハウジング被挿入部１６をコネクタ幅方向で挟むように配置されている。各ロック片１７は、嵌合方向に延びるように細長く形成されている。各ロック片１７は、アーム部２０と、爪部２１と、を有して構成されている。アーム部２０は、嵌合方向に延びるように細長く形成されている。爪部２１は、アーム部２０の嵌合方向の先端部２０ａに形成されている。爪部２１は、アーム部２０の先端部２０ａに接続し、コネクタ幅中央方向に突出して形成されている。爪部２１は、傾斜ガイド面２２と、ロック面２３と、を有している。傾斜ガイド面２２は、爪部２１の嵌合方向側の面であって、嵌合方向に向かうにつれてコネクタ幅反中央方向に向かうように傾斜する平面である。ロック面２３は、爪部２１の抜去方向側の面であって、コネクタ脱着方向に対して直交する平面である。各ロック片１７は、アーム部２０の長手方向の中途部２０ｂにおいて、各ロック片連結部１８を介して、プラグコンタクト収容部１５の嵌合方向の端部であってコネクタ幅反中央方向の端部に連結されている。各ロック片１７は、各ロック片連結部１８を基板直交方向に対して略平行となる回転軸として、揺動可能にプラグコンタクト収容部１５によって支持されている。即ち、各ロック片１７の揺動の回転軸は、基板直交方向に対して略平行である。
【００２３】
各電線２の端部に取り付けられたプラグコンタクト７は、プラグハウジング８のプラグコンタクト収容部１５のプラグコンタクト収容室１９に挿入されると、その一部がレセプタクルハウジング被挿入部１６に形成された隙間から外部に露出する。
【００２４】
（レセプタクルコネクタ６）
図５に示すように、前述の通り、レセプタクルコネクタ６は、複数のレセプタクルコンタクト９と、レセプタクルハウジング１０と、一対の補助金具１１と、を備えて構成されている。
【００２５】
図６及び図７に示すように、レセプタクルハウジング１０は、抜去方向に開口する箱型形状として構成されている。即ち、レセプタクルハウジング１０は、天板３０と、底板３１、側壁３２、背板３３を有して中空直方体形状に形成されている。レセプタクルハウジング１０には、抜去方向に開口するプラグ挿入孔３４が形成されている。図６に示すように、天板３０は、基板離間方向を向く上面３０ａを有している。図７に示すように、底板３１は、基板近接方向を向く下面３１ａを有している。
【００２６】
次に、図６〜図１０を参照して、側壁３２を詳しく説明する。
【００２７】
図６及び図７に示すように、側壁３２は、側壁本体３５と、金具保持部３６と、によって構成されている。側壁本体３５は、コネクタ幅方向に対して直交する板体である。側壁本体３５は、反中央方向を向く側面３５ａを有している。金具保持部３６は、補助金具１１を保持するための部分であって、側壁本体３５の抜去方向寄りの部分からコネクタ幅反中央方向に突出して形成されている。
【００２８】
図８〜図１０に示すように、金具保持部３６は、後方L字部３７と、前方L字部３８と、肩部３９（図９参照）と、によって構成されている。後方L字部３７は、前方L字部３８よりも嵌合方向側に配置されている。前方L字部３８は、後方L字部３７よりも抜去方向側に配置されている。後方L字部３７の基板直交方向の高さは、側壁本体３５の基板直交方向の高さと略等しい。前方L字部３８の基板直交方向の高さは、側壁本体３５の基板直交方向の高さの略半分である。
【００２９】
後方L字部３７は、後方L字基部４０と、後方L字先端部４１と、によって構成されている。後方L字基部４０は、側面３５ａに接続し、コネクタ幅反中央方向に突出する平板である。後方L字基部４０は、コネクタ脱着方向に対して直交している。後方L字先端部４１は、後方L字基部４０のコネクタ幅反中央方向の端部に接続し、抜去方向に突出する平板である。後方L字先端部４１は、コネクタ幅方向に対して直交している。後方L字先端部４１には、窪み４２が形成されている。窪み４２は、基板離間方向及び抜去方向、コネクタ幅反中央方向に開口する。窪み４２は、後方L字先端部４１の基板離間方向側及び抜去方向側、コネクタ幅反中央方向側に形成されている。後方L字先端部４１は、後方切れ目形成面４３、橋渡しガイド受け面４４、橋渡しガイド抑え面４５を有している。後方切れ目形成面４３は、後方L字先端部４１の抜去方向側の先端の平面である。後方切れ目形成面４３は、コネクタ脱着方向に対して直交している。橋渡しガイド受け面４４は、窪み４２の基板近接方向側を区画する平面である。橋渡しガイド受け面４４は、基板直交方向に対して直交している。橋渡しガイド抑え面４５は、窪み４２のコネクタ幅中央方向側を区画する平面である。橋渡しガイド抑え面４５は、コネクタ幅方向に対して直交している。
【００３０】
前方L字部３８は、前方L字基部５０と、前方L字先端部５１と、によって構成されている。前方L字基部５０は、側面３５ａの抜去方向側の端部であって基板近接方向寄りの部分に接続し、コネクタ幅反中央方向に突出する角柱体である。前方L字基部５０は、基板離間方向を向く上面５２を有している。前方L字先端部５１は、前方L字基部５０のコネクタ幅反中央方向の端部に接続し、嵌合方向に突出する角柱体である。前方L字先端部５１は、基板離間方向を向く上面５３と、嵌合方向を向く前方切れ目形成面５４を有している。前方L字部３８は、ガイド傾斜面５５を有している。ガイド傾斜面５５は、前方L字基部５０と前方L字先端部５１の接続部分に形成されている。ガイド傾斜面５５は、嵌合方向に向かうにつれてコネクタ幅反中央方向に向かうように傾斜して形成されている。
【００３１】
そして、後方L字部３７の後方L字先端部４１の後方切れ目形成面４３と、前方L字部３８の前方L字先端部５１の前方切れ目形成面５４と、の間には切れ目ｇが形成されている。切れ目ｇは、補助金具１１をレセプタクルハウジング１０に取り付けるための、基板直交方向に延びる空間である。後方切れ目形成面４３は、切れ目ｇの嵌合方向側を区画する。前方切れ目形成面５４は、切れ目ｇの抜去方向側を区画する。
【００３２】
肩部３９は、図９に示すように、後方L字基部４０の基板近接方向寄りの部分に接続し、抜去方向に突出する部分である。肩部３９は、コネクタ幅方向において側壁本体３５と後方L字先端部４１の間に挟まれるように形成されている。肩部３９は、基板離間方向を向く上面５６を有している。
【００３３】
図１０に示すように、金具保持部３６の基板近接方向側には、基板離間方向に窪むハンダ避け窪み５７が形成されている。
【００３４】
次に、図１１〜図１３を参照して、一対の補助金具１１について説明する。一対の補助金具１１は、レセプタクルコネクタ６のコネクタ幅方向の中央を挟んで対称の形状であるから、一方についてのみ説明し、他方の説明は省略する。
【００３５】
補助金具１１は、レセプタクルハウジング１０を基板３のコネクタ搭載面５に固定させるための部品である。補助金具１１は、ハウジング被保持部６０と基板被固定部６１、連結部６２、第１折り返し部６３、橋渡しガイド部６４、切れ目埋め部６５によって構成されている。
【００３６】
ハウジング被保持部６０は、レセプタクルハウジング１０の側壁３２の金具保持部３６に保持される部分である。ハウジング被保持部６０は、コネクタ幅方向に対して直交する平板である。図１３に示すように、ハウジング被保持部６０は、被圧入部６６、前方肩部６７、後方肩部６８によって構成されている。前方肩部６７は、被圧入部６６の基板離間方向側の端部であって抜去方向側の端部に接続し、抜去方向に突出して形成されている。前方肩部６７は、基板近接方向を向く座面６７ａを有する。後方肩部６８は、被圧入部６６の基板離間方向側の端部であって嵌合方向側の端部に接続し、嵌合方向に突出して形成されている。後方肩部６８は、基板近接方向を向く座面６８ａを有する。
【００３７】
基板被固定部６１は、基板３のコネクタ搭載面５にハンダ付けで固定される部分である。基板被固定部６１は、基板直交方向に対して直交する平板である。基板被固定部６１は、基板近接方向に見て、ハウジング被保持部６０よりもコネクタ幅反中央方向側に配置されている。
【００３８】
連結部６２は、ハウジング被保持部６０と基板被固定部６１とを連結する部分である。連結部６２は、ハウジング被保持部６０の基板近接方向側の端部と、基板被固定部６１のコネクタ幅中央方向側の端部と、に接続している。連結部６２は、滑らかに湾曲して形成されている。
【００３９】
第１折り返し部６３は、ハウジング被保持部６０の抜去方向側の端部に接続すると共に、コネクタ幅反中央方向側に１８０度、折り返されて形成される部分である。詳しくは、第１折り返し部６３は、ハウジング被保持部６０の前方肩部６７の抜去方向側の端部に接続している。第１折り返し部６３は、湾曲して形成されている。図１２に示すように、第１折り返し部６３は、基板近接方向を向く下面６３ａを有している。
【００４０】
橋渡しガイド部６４は、第１折り返し部６３のコネクタ幅反中央方向側の端部に接続すると共に、切れ目ｇ（図８を併せて参照）を跨ぐように嵌合方向に延びる部分である。図１２に示すように、橋渡しガイド部６４は、基板近接方向を向く前方下面６４ａと、基板近接方向を向く後方下面６４ｂと、を有している。前方下面６４ａは、切れ目埋め部６５よりも抜去方向側に位置している。後方下面６４ｂは、切れ目埋め部６５よりも嵌合方向側に位置している。
【００４１】
切れ目埋め部６５は、切れ目ｇ（図８を併せて参照）を埋めるための部分である。切れ目埋め部６５は、橋渡しガイド部６４の長手方向中途部に接続し、基板近接方向に突出して形成されている。切れ目埋め部６５は、橋渡しガイド部６４と第１折り返し部６３を介してハウジング被保持部６０に保持されている。従って、切れ目埋め部６５は、第１折り返し部６３を介してハウジング被保持部６０に保持されていると言及できる。
【００４２】
次に、図１４を参照して、各レセプタクルコンタクト９を説明する。図１４に示すように、各レセプタクルコンタクト９は、抜去方向側に開口するU字部７０と、基板接続脚部７１と、によって構成されている。基板接続脚部７１は、U字部７０の嵌合方向側の端部に接続して形成されている。
【００４３】
（レセプタクルコネクタ６の組立方法）
次に、レセプタクルコネクタ６の組立方法を説明する。図１５〜図１８には、レセプタクルコネクタ６の組立が完了した状態を示しているので適宜に参照されたい。
【００４４】
先ず、図６に示すレセプタクルハウジング１０の背板３３の複数のコンタクト挿入孔に複数のレセプタクルコンタクト９を圧入する。次に、図６に示すレセプタクルハウジング１０の側壁３２の金具保持部３６に補助金具１１を基板近接方向で取り付ける。
【００４５】
具体的には、図１１に示す補助金具１１を、図８に示す金具保持部３６の基板離間方向側に位置決めした上で、補助金具１１を金具保持部３６に向かって基板近接方向に降下させる。すると、図１３に示す補助金具１１の連結部６２が図８に示す切れ目ｇ内に進入すると共に、図１３に示すハウジング被保持部６０の被圧入部６６が図９に示す前方L字部３８の前方L字基部５０と肩部３９との間に圧入される。
【００４６】
補助金具１１を金具保持部３６に向かって基板近接方向に継続して降下させると、やがて、(a)図１３に示すハウジング被保持部６０の前方肩部６７の座面６７ａが図８に示す前方L字部３８の前方L字基部５０の上面５２に着座する。(b)同時に、図１３に示すハウジング被保持部６０の後方肩部６８の座面６８ａが図９に示す肩部３９の上面５６に着座する。(c)同時に、図１２に示す第１折り返し部６３の下面６３ａが図８に示す前方L字部３８の前方L字基部５０の上面５２に着座する。(d)同時に、図１２に示す橋渡しガイド部６４の前方下面６４ａが、図８に示す前方L字部３８の前方L字先端部５１の上面５３に着座する。(e)同時に、図１２に示す橋渡しガイド部６４の後方下面６４ｂが、図８に示す後方L字部３７の後方L字先端部４１の橋渡しガイド受け面４４に着座する。以上により、レセプタクルコネクタ６の組立作業が完了する。この状態で、図１１に示す橋渡しガイド部６４は、図８に示す後方L字部３７の後方L字先端部４１の橋渡しガイド抑え面４５に対向している。この橋渡しガイド抑え面４５の存在により、図１１に示す橋渡しガイド部６４のコネクタ幅中央方向への弾性変形は禁止されることになる。
【００４７】
（レセプタクルコネクタ６の搭載方法）
次に、レセプタクルコネクタ６を基板３のコネクタ搭載面５上に搭載する方法を説明する。レセプタクルコネクタ６を基板３のコネクタ搭載面５上に搭載するには、図１７に示す補助金具１１の基板被固定部６１を、基板３のコネクタ搭載面５上に形成された図略のパッドにハンダ付けする。この際、図１０に示すように側壁３２の金具保持部３６にはハンダ避け窪み５７が形成されているので、補助金具１１の基板被固定部６１を基板３のコネクタ搭載面５上にハンダ付けする際にハンダが万が一過度に盛り上がっても、その盛り上がりがレセプタクルハウジング１０自体を基板離間方向へ浮き上がらせることがない。一方、図１４に示す各レセプタクルコンタクト９の基板接続脚部７１を、基板３のコネクタ搭載面５上に形成された図略の電極パッドにハンダ付けする。以上により、レセプタクルコネクタ６を基板３のコネクタ搭載面５上に搭載する作業が完了する。上記(a)〜(e)で説明したように、補助金具１１はレセプタクルハウジング１０を基板近接方向に向かって押さえ付ける位置関係となっているので、レセプタクルハウジング１０を基板離間方向に持ち上げようとする力がレセプタクルハウジング１０に作用しても、レセプタクルハウジング１０は、補助金具１１によって効果的に基板近接方向側に押さえ付けられることになる。
【００４８】
（電線対基板コネクタ１の嵌合作業）
次に、プラグコネクタ４をレセプタクルコネクタ６に嵌合させる作業について説明する。プラグコネクタ４をレセプタクルコネクタ６に嵌合させるには、先ず、図１に示すように、プラグコネクタ４をレセプタクルコネクタ６の抜去方向側に位置決めした上で、プラグコネクタ４をレセプタクルコネクタ６に向かって前進させる。すると、図２及び図３に示すように、プラグコネクタ４の一対のロック片１７がレセプタクルコネクタ６をコネクタ幅方向で抱え込むことで、プラグコネクタ４はレセプタクルコネクタ６に固定される。
【００４９】
具体的には、プラグコネクタ４をレセプタクルコネクタ６に向かって前進させると、図４に示すロック片１７の爪部２１の傾斜ガイド面２２が図１７に示す前方L字部３８のガイド傾斜面５５に接触する。この接触により傾斜ガイド面２２は、ガイド傾斜面５５からコネクタ幅反中央方向の力を受け、ロック片１７の回転を伴いつつ、コネクタ幅反中央方向へ弾性変位する。プラグコネクタ４をレセプタクルコネクタ６に向かって更に前進させると、図４に示すロック片１７の爪部２１は、ロック片１７の弾性復元力により、側壁３２の金具保持部３６に向かってコネクタ幅中央方向に押さえ付けられながら嵌合方向へ進むことになる。このとき、金具保持部３６を構成する後方L字部３７と前方L字部３８との間の切れ目ｇ（図８参照）が、補助金具１１の切れ目埋め部６５によって埋められて消失しているので、以下の問題が解決される。即ち、金具保持部３６を構成する後方L字部３７と前方L字部３８との間の切れ目ｇが残存していると、ロック片１７の爪部２１が、ロック片１７の弾性復元力により、切れ目ｇ内に嵌ってしまい、この嵌った時の感触で、作業者は、プラグコネクタ４がレセプタクルコネクタ６に嵌合したものと勘違いして、プラグコネクタ４とレセプタクルコネクタ６との不確実な嵌合を招く問題が発生する。しかしながら、本実施形態では、金具保持部３６を構成する後方L字部３７と前方L字部３８との間の切れ目ｇが切れ目埋め部６５によって埋められているので、各ロック片１７の爪部２１が嵌合方向にスムーズに進むことができるようになる。そして、各ロック片１７の爪部２１が嵌合方向に進むに際し特段の違和感がないので、プラグコネクタ４とレセプタクルコネクタ６との不確実な嵌合が回避される。
【００５０】
また、本実施形態では、図１７に示すように、補助金具１１は、切れ目ｇ（図８参照）を跨ぐように延びる橋渡しガイド部６４を更に有している。従って、ロック片１７の爪部２１は、切れ目ｇを跨ぐ際に、橋渡しガイド部６４上をスライドして嵌合方向に進むことができる。この結果、プラグコネクタ４とレセプタクルコネクタ６との不確実な嵌合が一層回避されることになる。
【００５１】
図１９には、ロック片１７の爪部２１のロック面２３が、金具保持部３６の後方L字部３７の後方L字基部４０の背面４０ａに引っ掛かっている様子を示している。
【００５２】
（電線対基板コネクタ１の抜去作業）
次に、プラグコネクタ４をレセプタクルコネクタ６から抜去する作業を説明する。プラグコネクタ４をレセプタクルコネクタ６から抜去するには、図１９の状態で、爪部２１がコネクタ幅反中央方向へ弾性変位するようにロック片１７を回転させて、爪部２１が後方L字部３７に引っ掛かっている状態を解消させた上で、プラグコネクタ４を抜去方向に引き抜けばよい。
【００５３】
以上に本願発明の第１実施形態を説明したが、上記第１実施形態の特長は以下の通りである。
【００５４】
（１）電線対基板コネクタ１は、電線２を保持するプラグハウジング８を有するプラグコネクタ４と、電線２に対応するレセプタクルコンタクト９と、レセプタクルコンタクト９を保持するレセプタクルハウジング１０と、を有し、基板３のコネクタ搭載面５に搭載されるレセプタクルコネクタ６と、を備える。プラグコネクタ４をレセプタクルコネクタ６へ嵌合させることで、電線２がレセプタクルコンタクト９と導通する。プラグコネクタ４をレセプタクルコネクタ６へ嵌合させる方向としての嵌合方向は、基板３のコネクタ搭載面５に対して平行である。プラグハウジング８には、嵌合方向に延びる一対のロック片１７が形成されている。各ロック片１７は、嵌合方向に延びるアーム部２０と、アーム部２０の嵌合方向の先端部２０ａに形成された爪部２１と、を有して構成されている。プラグコネクタ４は、プラグコネクタ４の一対のロック片１７がレセプタクルコネクタ６を抱え込むことでレセプタクルコネクタ６に固定されるように構成されている。レセプタクルコネクタ６は、レセプタクルハウジング１０を基板３のコネクタ搭載面５に固定させるための補助金具１１を有する。レセプタクルハウジング１０の側壁３２には、補助金具１１をレセプタクルハウジング１０に取り付けるための基板３のコネクタ搭載面５に対して直交する方向に延びる切れ目ｇが形成されている。補助金具１１は、切れ目ｇを埋める切れ目埋め部６５を有している。以上の構成によれば、切れ目ｇが埋められているので、各ロック片１７の爪部２１が嵌合方向にスムーズに進むことができるようになる。そして、各ロック片１７の爪部２１が嵌合方向に進むに際し特段の違和感がないので、プラグコネクタ４とレセプタクルコネクタ６との不確実な嵌合が回避される。
【００５５】
（２、９、１１）補助金具１１は、切れ目埋め部６５と、レセプタクルハウジング１０の側壁３２内に保持されるハウジング被保持部６０と、基板３のコネクタ搭載面５に固定される基板被固定部６１と、ハウジング被保持部６０と基板被固定部６１とを連結する連結部６２と、を有する。レセプタクルハウジング１０の側壁３２の切れ目ｇは、補助金具１１をレセプタクルハウジング１０の側壁３２に取り付ける際に、連結部６２が通過するものである。
【００５６】
（３）補助金具１１は、ハウジング被保持部６０の抜去方向（嵌合方向と反対の方向としての反嵌合方向）側の端部に接続すると共に折り返されて形成される第１折り返し部６３を有する。切れ目埋め部６５は、第１折り返し部６３を介してハウジング被保持部６０に保持されている。
【００５７】
（５、８）補助金具１１は、第１折り返し部６３に接続すると共に、切れ目ｇを跨ぐように嵌合方向に延びる橋渡しガイド部６４を更に有する。以上の構成によれば、各ロック片１７の爪部２１が嵌合方向に一層スムーズに進むことができるようになる。
【００５８】
（７）切れ目埋め部６５は、橋渡しガイド部６４に接続している。
【００５９】
以上に第１実施形態を説明したが、上記の第１実施形態は例えば以下のように変更できる。
【００６０】
図１１に示すように、上記第１実施形態において、切れ目埋め部６５は、ハウジング被保持部６０によって保持されることとしたが、これに代えて、基板被固定部６１によって保持されるようにしてもよい。
【００６１】
また、図１９に示すように、上記第１実施形態において、ロック片１７の爪部２１は、レセプタクルハウジング１０の側壁３２の金具保持部３６に引っ掛かることとしたが、これに代えて、ロック片１７の爪部２１は、補助金具１１に引っ掛かるようにしてもよい。
【００６２】
（第２実施形態）
次に、図２０及び図２１を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６３】
側壁３２は、前面３２ａを有している。前面３２ａは、抜去方向を向き、コネクタ脱着方向に対して直交する平面である。本実施形態では、図２１に示すように、補助金具１１の第１折り返し部６３がレセプタクルハウジング１０の側壁３２の前面３２ａよりも抜去方向側に突出している。以上の構成によれば、第１折り返し部６３が、プラグコネクタ４をレセプタクルコネクタ６に嵌合する際に二点鎖線で示す爪部２１をコネクタ幅反中央方向へと押し退けるガイドとして機能することになる。
【００６４】
以上に本願発明の第２実施形態を説明したが、第２実施形態は、以下の特長を有している。
【００６５】
（４）第１折り返し部６３は、レセプタクルハウジング１０の側壁３２よりも抜去方向側に突出している。以上の構成によれば、第１折り返し部６３が、プラグコネクタ４をレセプタクルコネクタ６に嵌合する際に爪部２１を外側へと押し退けるガイドとして機能することになる。
【００６６】
（第３実施形態）
次に、図２２〜図３１を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００６７】
上記第１実施形態では、図８に示すように、後方L字先端部４１に、基板離間方向及び抜去方向、コネクタ幅反中央方向に開口する窪み４２を形成している。しかし、これに代えて、本実施形態では、図２５及び図２６に示すように、後方L字先端部４１には、基板離間方向及びコネクタ脱着方向、コネクタ幅反中央方向に開口する窪み８０が形成されている。窪み８０は、後方L字先端部４１の基板離間方向側及びコネクタ幅反中央方向側に形成されている。後方L字先端部４１は、後方切れ目形成面４３、橋渡しガイド受け面８１、橋渡しガイド抑え面８２を有している。後方切れ目形成面４３は、後方L字先端部４１の抜去方向側の先端の平面である。後方切れ目形成面４３は、コネクタ脱着方向に対して直交している。橋渡しガイド受け面８１は、窪み８０の基板近接方向側を区画する平面である。橋渡しガイド受け面８１は、基板直交方向に対して直交している。橋渡しガイド抑え面８２は、窪み８０のコネクタ幅中央方向側を区画する平面である。橋渡しガイド抑え面８２は、コネクタ幅方向に対して直交している。
【００６８】
また、本実施形態では、図２７に示すように、後方L字基部４０に、基板離間方向及び嵌合方向に開口する引っ掛け部挿入溝８３が形成されている。引っ掛け部挿入溝８３は、後方L字基部４０の基板離間方向側及び嵌合方向側、コネクタ幅中央方向側に形成されている。後方L字基部４０は、引っ掛け部受け面８４を有している。引っ掛け部受け面８４は、引っ掛け部挿入溝８３の基板近接方向側を区画する平面である。引っ掛け部受け面８４は、基板直交方向に対して直交している。側壁本体３５の側面３５ａは、引っ掛け部挿入溝８３のコネクタ幅中央方向側を区画している。
【００６９】
次に、図２８及び図２９を参照して、補助金具１１を説明する。
【００７０】
本実施形態の補助金具１１は、上記第１実施形態のようにハウジング被保持部６０及び基板被固定部６１、連結部６２、第１折り返し部６３、橋渡しガイド部６４を備えている。補助金具１１は、更に、第２折り返し部８５と引っ掛け部８６を有している。
【００７１】
第２折り返し部８５は、橋渡しガイド部６４の嵌合方向側の端部に接続すると共に、コネクタ幅中央方向側に１８０度、折り返されて形成される部分である。第２折り返し部８５は、湾曲して形成されている。第２折り返し部８５は、基板近接方向を向く下面８５ａを有している。
【００７２】
引っ掛け部８６は、第２折り返し部８５のコネクタ幅中央方向側の端部に接続すると共に、抜去方向に延びる部分である。引っ掛け部８６は、基板近接方向を向く下面８６ａを有している。
【００７３】
（レセプタクルコネクタ６の組立方法）
次に、レセプタクルコネクタ６の組立方法を説明する。図３０及び図３１には、レセプタクルコネクタ６の組立が完了した状態を示しているので適宜に参照されたい。
【００７４】
図２８に示す補助金具１１を、図２５に示す金具保持部３６の基板離間方向側に位置決めした上で、補助金具１１を金具保持部３６に向かって基板近接方向に降下させる。すると、図２８に示す補助金具１１の連結部６２が図２５に示す切れ目ｇ内に進入すると共に、図２８に示すハウジング被保持部６０の被圧入部６６が図２５に示す前方L字部３８の前方L字基部５０と図２６に示す肩部３９との間に圧入される。
【００７５】
補助金具１１を金具保持部３６に向かって基板近接方向に継続して降下させると、やがて、上述した(a)〜(d)に加え、(f)同時に、図２８に示す橋渡しガイド部６４の後方下面６４ｂが図２５に示す後方L字部３７の後方L字先端部４１の橋渡しガイド受け面８１に着座する。(g)同時に、図２８に示す引っ掛け部８６の下面８６ａが、図２７に示す引っ掛け部挿入溝８３の引っ掛け部受け面８４に着座する。このとき、図２８に示す引っ掛け部８６は、図２７に示す引っ掛け部挿入溝８３内に収容されることになる。以上により、レセプタクルコネクタ６の組立作業が完了する。この状態で、図２８に示す橋渡しガイド部６４は、図２７に示す後方L字部３７の後方L字先端部４１の橋渡しガイド抑え面８２に対向している。この橋渡しガイド抑え面８２の存在により、図２８に示す橋渡しガイド部６４のコネクタ幅中央方向への弾性変形は禁止されることになる。また、図２８に示す引っ掛け部８６が図２７に示す引っ掛け部挿入溝８３内に収容されることで、図２８に示す橋渡しガイド部６４のコネクタ幅反中央方向への弾性変形が禁止されることになる。
【００７６】
（電線対基板コネクタ１の抜去作業）
次に、プラグコネクタ４をレセプタクルコネクタ６から抜去する作業を説明する。プラグコネクタ４をレセプタクルコネクタ６から抜去するには、爪部２１がコネクタ幅反中央方向へ弾性変位するようにロック片１７を回転させた上で（図１９を併せて参照）、プラグコネクタ４を抜去方向に引き抜けばよい。このとき、橋渡しガイド部６４のコネクタ幅反中央方向への弾性変形が禁止されているので、以下の問題が解決される。即ち、橋渡しガイド部６４のコネクタ幅反中央方向への弾性変形が禁止されていないと、爪部２１をコネクタ幅反中央方向へ弾性変位させる際に、爪部２１が第２折り返し部８５をコネクタ幅反中央方向へ同時に引っ張ってしまい、爪部２１の第２折り返し部８５に対する引っ掛かりがなかなか解除されないという問題が生じる。これに対し、橋渡しガイド部６４のコネクタ幅反中央方向への弾性変形が禁止されているので、爪部２１がコネクタ幅反中央方向へ弾性変位すると、爪部２１の第２折り返し部８５に対する引っ掛かりが速やかに解除されることになる。
【００７７】
以上に本願発明の第３実施形態を説明したが、第３実施形態は、以下の特長を有している。
【００７８】
（６）補助金具１１は、橋渡しガイド部６４の嵌合方向側の端部に接続すると共に、折り返されて形成される第２折り返し部８５と、第２折り返し部８５に接続すると共に、抜去方向に延びる引っ掛け部８６と、を有する。レセプタクルハウジング１０の側壁３２には、補助金具１１の引っ掛け部８６が挿入される引っ掛け部挿入溝８３が形成されている。以上の構成によれば、橋渡しガイド部６４のコネクタ幅反中央方向への弾性変形を防止することができる。
【００７９】
以上に本願発明の第３実施形態を説明したが、上記第３実施形態は以下のように変更できる。
【００８０】
即ち、上記第２実施形態のように、第１折り返し部６３をレセプタクルハウジング１０よりも抜去方向へ突出させることとしてもよい。
【００８１】
（第４実施形態）
次に、図３２〜３９を参照しつつ、本願発明の第４実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００８２】
上記第１実施形態では、図８に示すように、前方L字基部５０は、側面３５ａの抜去方向側の端部であって基板近接方向寄りの部分に接続し、コネクタ幅反中央方向に突出する角柱体であるとした。これに対し、本実施形態において前方L字基部５０は、図３４に示すように、側面３５ａの抜去方向側の端部よりも若干嵌合方向寄りの部分であって、基板近接方向寄りの部分に接続し、コネクタ幅反中央方向に突出する角柱体である。また、本実施形態における前方L字基部５０の突出長さは、上記第１実施形態の前方L字基部５０の突出長さの略半分である。本実施形態において前方L字先端部５１は、コネクタ幅反中央方向を向く切れ目カバー抑え面９０を有している。
【００８３】
また、上記第１実施形態において後方L字部３７の後方L字先端部４１には、図８に示すように、基板離間方向及び抜去方向、コネクタ幅反中央方向に開口する窪み４２が形成されているとした。これに対して、本実施形態において後方L字部３７の後方L字先端部４１には、図３４に示すように、基板直交方向及び抜去方向、コネクタ幅反中央方向に開口する窪み９１が形成されている。即ち、窪み９１は、後方L字先端部４１の抜去方向側及びコネクタ幅反中央方向側に形成されている。後方L字先端部４１は、後方切れ目形成面４３、切れ目カバー抑え面９２を有している。切れ目カバー抑え面９２は、窪み９１のコネクタ幅中央方向側を区画する平面である。切れ目カバー抑え面９２は、コネクタ幅方向に対して直交している。
【００８４】
次に、図３６及び図３７を参照して、補助金具１１を説明する。
【００８５】
本実施形態における補助金具１１は、ハウジング被保持部６０と基板被固定部６１、連結部６２、第１折り返し部９３、切れ目カバー部９４を有して構成されている。一方、補助金具１１は、図１１に示す切れ目埋め部６５を有していない。
【００８６】
第１折り返し部９３は、ハウジング被保持部６０の抜去方向側の端部に接続すると共に、コネクタ幅反中央方向側に１８０度、折り返されて形成される部分である。詳しくは、第１折り返し部９３は、ハウジング被保持部６０の前方肩部６７の抜去方向側の端部に接続している。第１折り返し部９３は、湾曲して形成されている。本実施形態の第１折り返し部９３は、上記第１実施形態の第１折り返し部６３（図１１を併せて参照）と比較して、基板直交方向のサイズが大きい。
【００８７】
切れ目カバー部９４は、第１折り返し部９３のコネクタ幅反中央方向側の端部に接続すると共に、切れ目ｇ（図８を併せて参照）を覆い隠すように嵌合方向に延びる部分である。
【００８８】
（レセプタクルコネクタ６の組立方法）
次に、レセプタクルコネクタ６の組立方法を説明する。図３８及び図３９には、レセプタクルコネクタ６の組立が完了した状態を示しているので適宜に参照されたい。
【００８９】
図３６に示す補助金具１１を、図３４に示す金具保持部３６の基板離間方向側に位置決めした上で、補助金具１１を金具保持部３６に向かって基板近接方向に降下させる。すると、図３６に示す補助金具１１の連結部６２が図３４に示す切れ目ｇ内に進入すると共に、図３６に示すハウジング被保持部６０の被圧入部６６が図３４に示す前方L字部３８の前方L字基部５０と図３５に示す肩部３９との間に圧入される。
【００９０】
補助金具１１を金具保持部３６に向かって基板近接方向に継続して降下させると、やがて、上述した(a)及び(b)の着座が行われる。このとき、図３９に示す切れ目カバー部９４は、切れ目ｇを完全に覆い隠している。以上により、レセプタクルコネクタ６の組立作業が完了する。この切れ目カバー部９４の存在により、以下の問題が解決される。即ち、金具保持部３６を構成する後方L字部３７と前方L字部３８との間の切れ目ｇが残存していると、ロック片１７の爪部２１が、ロック片１７の弾性復元力により、切れ目ｇ内に嵌ってしまい、この嵌った時の感触で、作業者は、プラグコネクタ４がレセプタクルコネクタ６に嵌合したものと勘違いして、プラグコネクタ４とレセプタクルコネクタ６との不確実な嵌合を招く問題が発生する。しかしながら、本実施形態では、金具保持部３６を構成する後方L字部３７と前方L字部３８との間の切れ目ｇが切れ目カバー部９４によって覆い隠されているので、各ロック片１７の爪部２１が嵌合方向にスムーズに進むことができるようになる。そして、各ロック片１７の爪部２１が嵌合方向に進むに際し特段の違和感がないので、プラグコネクタ４とレセプタクルコネクタ６との不確実な嵌合が回避される。
【００９１】
（１０）電線対基板コネクタ１は、電線２を保持するプラグハウジング８を有するプラグコネクタ４と、電線２に対応するレセプタクルコンタクト９と、レセプタクルコンタクト９を保持するレセプタクルハウジング１０と、を有し、基板３のコネクタ搭載面５に搭載されるレセプタクルコネクタ６と、を備える。プラグコネクタ４をレセプタクルコネクタ６へ嵌合させることで、電線２がレセプタクルコンタクト９と導通する。プラグコネクタ４をレセプタクルコネクタ６へ嵌合させる方向としての嵌合方向は、基板３のコネクタ搭載面５に対して平行である。プラグハウジング８には、嵌合方向に延びる一対のロック片１７が形成されている。各ロック片１７は、嵌合方向に延びるアーム部２０と、アーム部２０の嵌合方向の先端部２０ａに形成された爪部２１と、を有して構成されている。プラグコネクタ４は、プラグコネクタ４の一対のロック片１７がレセプタクルコネクタ６を抱え込むことでレセプタクルコネクタ６に固定されるように構成されている。レセプタクルコネクタ６は、レセプタクルハウジング１０を基板３のコネクタ搭載面５に固定させるための補助金具１１を有する。レセプタクルハウジング１０の側壁３２には、補助金具１１をレセプタクルハウジング１０に取り付けるための基板３のコネクタ搭載面５に対して直交する方向に延びる切れ目ｇが形成されている。補助金具１１は、切れ目ｇを覆い隠す切れ目カバー部９４を更に有する。以上の構成によれば、各ロック片１７の爪部２１が嵌合方向にスムーズに進むことができるようになる。従って、各ロック片１７の爪部２１が嵌合方向に進むに際し特段の違和感が抑制されるので、プラグコネクタ４とレセプタクルコネクタ６との不確実な嵌合が回避される。
【００９２】
以上に本願発明の第４実施形態を説明したが、上記第４実施形態は、以下のように変更できる。
【００９３】
即ち、上記第２実施形態のように、第１折り返し部９３をレセプタクルハウジング１０よりも抜去方向へ突出させることとしてもよい。
【００９４】
また、上記第３実施形態の第２折り返し部８５と引っ掛け部８６は、合理的な範囲内で、本実施形態の補助金具１１に適用してもよい。
【００９５】
また、図３９において、補助金具１１の切れ目カバー部９４と後方L字部３７との間のコネクタ脱着方向における隙間の延びる方向は、基板直交方向に対して傾斜していることが好ましい。この場合、各ロック片１７の爪部２１が嵌合方向に一層スムーズに進むことができるようになる。
【符号の説明】
【００９６】
１  電線対基板コネクタ
２  電線
３  基板
４  プラグコネクタ
５  コネクタ搭載面
６  レセプタクルコネクタ
７  プラグコンタクト
８  プラグハウジング
９  レセプタクルコンタクト
１０  レセプタクルハウジング
１１  補助金具
１２  表面実装型LEDチップ
１５  プラグコンタクト収容部
１６  レセプタクルハウジング被挿入部
１７  ロック片
１８  ロック片連結部
１９  プラグコンタクト収容室
２０  アーム部
２０ａ  先端部
２０ｂ  中途部
２１  爪部
２２  傾斜ガイド面
２３  ロック面
３０  天板
３０ａ  上面
３１  底板
３１ａ  下面
３２  側壁
３２ａ  前面
３３  背板
３４  プラグ挿入孔
３５  側壁本体
３５ａ  側面
３６  金具保持部
３７  後方L字部
３８  前方L字部
３９  肩部
４０  後方L字基部
４０ａ  背面
４１  後方L字先端部
４２  窪み
４３  後方切れ目形成面
４４  橋渡しガイド受け面
４５  橋渡しガイド抑え面
５０  前方L字基部
５１  前方L字先端部
５２  上面
５３  上面
５４  前方切れ目形成面
５５  ガイド傾斜面
５６  上面
５７  ハンダ避け窪み
６０  ハウジング被保持部
６１  基板被固定部
６２  連結部
６３  第１折り返し部
６３ａ  下面
６４  橋渡しガイド部
６４ａ  前方下面
６４ｂ  後方下面
６５  切れ目埋め部
６６  被圧入部
６７  前方肩部
６７ａ  座面
６８  後方肩部
６８ａ  座面
７０  U字部
７１  基板接続脚部
８０  窪み
８１  橋渡しガイド受け面
８２  橋渡しガイド抑え面
８３  引っ掛け部挿入溝
８４  引っ掛け部受け面
８５  第２折り返し部
８５ａ  下面
８６  引っ掛け部
８６ａ  下面
９０  切れ目カバー抑え面
９１  窪み
９２  切れ目カバー抑え面
９３  第１折り返し部
９４  切れ目カバー部
ｇ  切れ目
【図１】
0005943692.tif 000002
【図２】
0005943692.tif 000003
【図３】
0005943692.tif 000004
【図４】
0005943692.tif 000005
【図５】
0005943692.tif 000006
【図６】
0005943692.tif 000007
【図７】
0005943692.tif 000008
【図８】
0005943692.tif 000009
【図９】
0005943692.tif 000010
【図１０】
0005943692.tif 000011
【図１１】
0005943692.tif 000012
【図１２】
0005943692.tif 000013
【図１３】
0005943692.tif 000014
【図１４】
0005943692.tif 000015
【図１５】
0005943692.tif 000016
【図１６】
0005943692.tif 000017
【図１７】
0005943692.tif 000018
【図１８】
0005943692.tif 000019
【図１９】
0005943692.tif 000020
【図２０】
0005943692.tif 000021
【図２１】
0005943692.tif 000022
【図２２】
0005943692.tif 000023
【図２３】
0005943692.tif 000024
【図２４】
0005943692.tif 000025
【図２５】
0005943692.tif 000026
【図２６】
0005943692.tif 000027
【図２７】
0005943692.tif 000028
【図２８】
0005943692.tif 000029
【図２９】
0005943692.tif 000030
【図３０】
0005943692.tif 000031
【図３１】
0005943692.tif 000032
【図３２】
0005943692.tif 000033
【図３３】
0005943692.tif 000034
【図３４】
0005943692.tif 000035
【図３５】
0005943692.tif 000036
【図３６】
0005943692.tif 000037
【図３７】
0005943692.tif 000038
【図３８】
0005943692.tif 000039
【図３９】
0005943692.tif 000040
【図４０】
0005943692.tif 000041